(57)【特許請求の範囲】
【請求項１】
繊維強化樹脂製のラケットフレームを備え、該ラケットフレームの打球面を囲むヘッド部とヨーク部とからガット張架部が形成されているラケットにおいて、
前記ヘッド部の少なくとも一部に、打球面と平行方向のフレーム幅方向に貫通する中空部を設けていると共に、該中空部を挟むフレーム周方向両端の外周面に連続して中空部の外側へ膨出させた膨出ガット張架部を設け、該膨出ガット張架部に複数のガット穴を設け、
ガットが前記中空部を通って前記膨出ガット張架部のガット穴に通され、該膨出ガット張架部の外周面に架け渡される構成としていることを特徴とするラケット。
【請求項２】
前記膨出ガット張架部は、打球面を時計面とみて、トップ部を１２時位置として、ヘッド部の３時半から５時位置と７時から８時半位置、２時から３時位置と９時から１０時位置あるいは１１時５７分から１２時３分位置に設けている請求項１に記載のラケット。
【請求項３】
前記中空部のフレーム周方向の長さは、２５ｍｍ以上１５０ｍｍ以下の範囲内としている請求項１または請求項２に記載のラケット。
【請求項４】
前記中空部の厚み方向（打球方向）の寸法は、３ｍｍ以上１５ｍｍ以下の範囲内としている請求項１乃至請求項３のいずれか１項に記載のラケット。
【発明の詳細な説明】
【技術分野】
【０００１】
本発明は、テニスラケット等のラケットに関し、特に、ラケットの重量増加を抑制しながら、ガットの可動範囲を広くして反発性の向上を図るものである。
【背景技術】
【０００２】
近年、特に女性やシニア層のために、少ない力で飛び性能の高いラケットへの要望が強まっている。そのため、ラケットフレームの材料は、金属や木材ではなく、軽量で比強度が高く、設計自由度も高い繊維強化樹脂が主流となっている。
しかしながら、ラケットフレームとボールとの二物体が衝突する観点からみると、エネルギー保存則により、ラケットフレームが軽くなるとボールの反発係数は低下する。よって、ラケットフレームの軽量化は反発性能の低下を招くこととなる。
【０００３】
前記問題に対しては、フレームの厚みを増加させて打球面剛性を高めることや、重心を先寄りにすることによりスイング方向の慣性モーメントを高めることが考えられる。しかしながら、軽量性を維持しながらフレームの厚みを増加させると、肉厚が薄くなり、強度や剛性を低下させることになる。また、スイング方向の慣性モーメントを大きくすれば、プレーヤーにはラケットが重く感じられ、操作性を悪化させる。そのほか、フレームに反発促進構造を搭載することも考えられるが、反発促進構造の搭載は重量増加を招き、操作性が悪化する。
そこで、ラケットの良好な操作性と反発性の両立を図ることが課題となっている。
【０００４】
この課題に関し、特開２００２−１９１７２３号（特許文献１）では、図９に示すように、ラケットフレーム１の打球面を囲むガット張架部の少なくとも一部に、フレーム幅方向に貫通する窓穴２を設け、該窓孔２内にガット支持体３を、打球時にガット５の撓みに追随して打球方向に振動するように弾性体４を介して支持固定することが提案されている。これにより、打球面を拡大させることなくスイートエリアを拡大できるため、ラケットフレームの重量増加やスイング時の風圧増加を伴わず、良好な操作性を得ながら反発性も向上できるとされている。
【０００５】
しかしながら、前記ガット支持体３は強度確保の必要から中実構造であり、また、ガット支持体３を包持する弾性体４も振動励起のために重くなるため、ラケット重量が増加して操作性が低下する問題がある。
【０００６】
【特許文献１】特許２００２−１９１７２３号公報
【発明の開示】
【発明が解決しようとする課題】
【０００７】
本発明は前記問題に鑑みてなされたもので、良好な操作性を有すると共に、重量を増加させることなくガットの可動範囲を広くて反発性を高めることができるラケットを提供することを課題としている。
【課題を解決するための手段】
【０００８】
前記課題を解決するために、本発明は、繊維強化樹脂製のラケットフレームを備え、該ラケットフレームの打球面を囲むヘッド部とヨーク部とからガット張架部が形成されているラケットにおいて、
前記ヘッド部の少なくとも一部に、打球面と平行方向のフレーム幅方向に貫通する中空部を設けていると共に、該中空部を挟むフレーム周方向両端の外周面に連続して中空部の外側へ膨出させた膨出ガット張架部を設け、該膨出ガット張架部に複数のガット穴を設け、
ガットが前記中空部を通って前記膨出ガット張架部のガット穴に通され、該膨出ガット張架部の外周面に架け渡される構成としていることを特徴とするラケットを提供している。
【０００９】
前記のように、本発明に係わるラケットは、ヘッド部とヨーク部からなる打球面を囲む連続した円弧形状のガット張架部（以下、ガット張架部本体と称す）のうちヨーク部を除く、ヘッド部の一部に、外側に膨出させた膨出ガット張架部を設けた構成としている。該構成とすると、膨出ガット張架部に張架されたガットは、その撓みの起点をガット張架部本体に形成した場合と比較して、打球面の中心に対して外側に移行させることができるため、ガットの可動範囲が広がり、反発性を高めることができる。
また、前記特許文献１と異なり、膨出ガット張架部は、中空部を設けたヘッド部に連続させて形成して繊維強化樹脂製としているため、軽量であると共に比強度も高く、中空構造としても必要な強度を確保することができる。よって、該膨出ガット張架部を設けることによる重量増加を抑制でき、繊維強化樹脂製ラケット特有の軽量性および操作性を維持したままで反発性を高めることができる。
【００１０】
前記膨出ガット張架部で連続させる領域は、トップ部とグリップ中心を結んだラケット中心軸を挟んで左右対称に配置されており、前記ラケットフレームの前記打球面を時計面とみてトップ部を１２時とした場合において、３時半位置から５時位置までの範囲と７時位置から８時半位置までの範囲、２時から３時位置と９時から１０時位置あるいは１１時５７分から１２時３分位置に設けることが好ましい。
【００１１】
特に、４時〜５時位置および７時〜８時位置に張設されるガットはその有効長さが本来短いが、この範囲を含むように膨出ガット張架部を設けることにより、縦ストリングおよび横ストリングの中心より外周側にストリング可動領域を大きくすることができ、スイートエリアを効果的に拡大できる。
【００１２】
なお、前記時計面の中心は、打球面の縦方向最大長を二分する位置とし、この位置を中心として、トップ部から０°の位置を１２時位置とし、時計回りに３０°間隔で１時位置、２時位置、３時位置・・・とする。
【００１３】
前記膨出ガット張架部はヘッド部からの突出高さ（中空部を形成していないと仮定したヘッド部の仮想外周面と膨出ガット張架部の外周面との距離）は５ｍｍ以上３０ｍｍ以下が好ましい。
これは、５ｍｍ未満では、ガットの可動領域の拡大量が少なく、反発性能を劇的に向上させることができず、３０ｍｍ超では、地面と接触して破損しやすくなることに因る。好ましくは、下限は、７ｍｍ以上、特に１０ｍｍ以上がよく、上限は、２５ｍｍ以下、特に２０ｍｍ以下がよい。
【００１４】
前記中空部のフレーム周方向の長さは、２５ｍｍ以上１５０ｍｍ以下の範囲内としていることが好ましい。これは、２５ｍｍ未満ではガット可動領域の拡大部位が少なく、反発性を劇的に向上させることができず、１５０ｍｍ超では、フレーム強度が低下するためである。好ましくは、５０ｍｍ以上、さらに７０ｍｍ以上１２０ｍｍ以下が良い。
なお、フレーム周方向の長さとは、フレーム周の湾曲に沿って測定した長さをいう。
【００１５】
前記中空部の厚み（フレーム厚み方向の幅）は、３ｍｍ以上１５ｍｍ以下の範囲内としていることが好ましい。これは、３ｍｍ未満では、ガットがフレームに接触しやすく、可動領域拡大効果を十分に発揮できず、１５ｍｍ超では、中空部のフレーム周方向両端部のフレームに応力が集中しやすくなり、強度が低下することに因る。好ましくは、５ｍｍ以上、さらには、７ｍｍ以上１０ｍｍ以下が良い。
【００１６】
本発明のラケットでは、打球面の面積は６４５．２ｃｍ２（１００ｓｑｉｎ）以上８０６．５ｃｍ２（１２５ｓｑｉｎ）以下が好ましい。これは、６４５．２ｃｍ２（１００ｓｑｉｎ）未満ではスイートエリアが小さくなるため飛び性能が低下してしまい、８０６．５ｃｍ２（１２５ｓｑｉｎ）を超えるとフレーム周長が長くなってしまい、重量増加を招くことに因る。さらに好ましくは、下限は６９６．８ｃｍ２（１０５ｓｑｉｎ）以上、特に６７７．４ｃｍ２（１０８ｓｑｉｎ）以上がよく、上限は７４４．２ｃｍ２（１２０ｓｑｉｎ）以下、特に７６１．３ｃｍ２（１１８ｓｑｉｎ）以下がよい。
【００１７】
前記ガット張架部本体の周長は、８００ｍｍ以上１１００ｍｍ以下が好ましい。これは、８００ｍｍ未満では打球面の面積が小さく、スイートエリアも小さくなりすぎて飛び性能が低下してしまい、１１００ｍｍ超では、重量増加を招き、操作性が低下することに因る。さらに好ましくは、下限は８５０ｍｍ以上、特に９００ｍｍ以上がよく、上限は１０５０ｍｍ以下、特に１０００ｍｍ以下がよい。
【００１８】
前記ガット張架部本体および膨出ガット張架部を含めたガット張架部、およびスロート部、シャフト部、グリップ部からなるラケットフレームの形成材となる繊維強化樹脂に用いられる樹脂としては、熱硬化性樹脂、熱可塑性樹脂等が挙げられるが、強度と剛性の点より、熱硬化性樹脂が好ましく、特にエポキシ系樹脂が好ましい。
熱硬化性樹脂としては、エポキシ系樹脂、不飽和ポリエステル系樹脂、フェノール系樹脂、メラミン系樹脂、ユリア系樹脂、ジアリルフタレート系樹脂、ポリウレタン系樹脂、ポリイミド系樹脂、ケイ素樹脂等が挙げられる。
熱可塑性樹脂としては、ポリアミド樹脂、飽和ポリエステル系樹脂、ポリカーボネート系樹脂、ＡＢＳ樹脂、ポリ塩化ビニル系樹脂、ポリアセタール系樹脂、ポリスチレン系樹脂、ポリエチレン系樹脂、ポリ酢酸ビニル系樹脂、ＡＳ樹脂、メタクリル樹脂、ポリプロピレン樹脂、フッ素樹脂等が挙げられる。
【００１９】
前記繊維強化樹脂に用いられる強化繊維としては、比重が小さく弾性率と強度が高いという点からカーボン繊維が好ましいが、その他、一般に高性能強化繊維として使用される繊維が用いられる。例えば、黒鉛繊維、アラミド繊維、炭化ケイ素繊維、アルミナ繊維、ボロン繊維、ガラス繊維等が挙げられる。
【発明の効果】
【００２０】
上述したように、本発明によれば、ガット張架部本体のヨーク部を除くヘッド部の一部に幅方向に貫通する中空部を設け、この中空部を設けた部分では、外側へ突出させた膨出ガット張架部を設けてヘッド部に連続させた形状としているため、中空部を通して該膨出ガット張架部のガット穴に通すガットは、打球時における撓みの起点を外側に移行させることができる。その結果、ガットの可動領域を拡大でき、これにより、反発性が向上すると共に、スイートエリアが拡大して操作性も高めることができる。
また、前記膨出ガット張架部はヘッド部と連続して形成し、繊維強化樹脂製としているため、軽量であるうえ、中空構造としても必要な強度を確保することができる。よって、膨出ガット張架部を設けることによるラケットの重量増加を抑制でき、良好な操作性も得ることができる。
【００２１】
また、ガット張架部本体の中空部の厚み方向寸法を前記３ｍｍ以上１５ｍｍ以下に設定するとガットが通る際に、ガット張架部本体に接触しないため、ガットの可動範囲を規制せず、かつ、ガット張架部本体側に振動を発生させない。
【発明を実施するための最良の形態】
【００２２】
以下、発明の実施形態を図面を参照して説明する。なお、以下に説明する実施形態はいずれも本発明を硬式テニス用ラケットに適用したものである。
【００２３】
図１乃至図４は、本発明の第一実施形態に係るテニス用のラケット１０を示す。
ラケット１０は、繊維強化樹脂シートのプリプレグを積層した中空の管状体よりなるラケットフレーム１１から構成し、該ラケットフレーム１１は、ヘッド部１２、スロート部１３、シャフト部１４、グリップ部１５を連続して形成し、ヘッド部１２とシャフト部１４とを連結するスロート部１３を二股状とし、スロート部１３の両側枠の間にはヨーク部１６を設けている。
【００２４】
前記ヘッド部１２とヨーク部１６とで打球面Ｆを囲むガット張架部本体１７を設け、該ガット張架部本体１７のヘッド部１２の一部に膨出ガット張架部１８を設けている。
前記打球面Ｆの面積は６４５ｃｍ２〜８０６ｃｍ２とし、本実施形態では７１０ｃｍ２としている。また、ガット張架部本体１７のフレーム周長は８００ｍｍ〜１１００ｍｍとし、本実施形態では９６０ｍｍとしている。
【００２５】
前記ガット張架部本体１７には、フレーム幅方向Ｘに貫通し、フレーム周方向に延在する２つの中空部３１を、フレーム１１のトップ部とグリップ中心を結んだラケット中心軸Ｌ１を挟んで左右対称に設けている。
詳しくは、中空部３１は、図１（Ａ）に示すように、打球面Ｆを時計面とみてトップ部を１２時とした場合における４時位置を始端、５時位置を終端とする範囲Ａと、７時位置を始端、８時位置を終端とする範囲Ｂにそれぞれ設けている。
【００２６】
図２（Ａ）に示すように、中空部３１のフレーム周方向の長さＬ２は２５〜１５０ｍｍとし、本実施形態では１００ｍｍとしている。また、図３に示すように、フレーム幅方向と直交する厚み方向（打球方向）Ｙにおける前記中空部３１の厚み寸法Ｄ１は３〜１５ｍｍとし、本実施形態では９ｍｍとしている。
【００２７】
前記中空部３１の外側（打球面Ｆの中心に対して外側方向）には、図２（Ａ）に示すように、膨出ガット張架部１８を設けている。
該膨出ガット張架部１８も、繊維強化樹脂シートのプリプレグを積層した中空の管状体から形成している。
この膨出ガット張架部１８を構成するプリプレグは、ガット張架部本体１７を構成するプリプレグと、金型内で接合配置し、図２（Ａ）に示すように、その長さ方向両端部１８ａ、１８ｂは、前記中空部３１のフレーム周方向両端部のガット張架部本体１７の外周面１７ａに一体接合し、中空部３１の全長を跨いでガット張架部本体１７よりも外周側に突出させて架設されている。
【００２８】
膨出ガット張架部１８は、その長さ方向において、中空部３１を形成した箇所のガット張架部本体１７よりも小さい曲率で湾曲させた円弧形状とし、また、図１（Ｂ）および図２（Ａ）（Ｂ）に示すように、ガット張架部本体１７よりも、厚み方向Ｙに薄く、幅方向Ｘに細い形状としている。
また、本実施形態では、中空部３１を形成していないと仮定した場合におけるガット張架部本体１７の仮想外周面Ｒ１からの膨出ガット張架部１８の最大突出量Ｈ１を１５ｍｍとしている。
【００２９】
図２（Ａ）に示すように、中空部３１を形成した箇所以外のガット張架部本体１７の外側には、ガット溝１９を周方向に連続して形成すると共に、該ガット溝１９の底面からフレーム１１の内周面にかけて縦・横のガット穴２０を貫通して設けている。
また、膨出ガット張架部１８には、外周面と内周面とを貫通する４つのガット穴２１を設けている。
【００３０】
前記ラケット１０には、打球面Ｆに張架する縦糸・横糸からなるガットＳ（以下、ストリングＳと称す）と前記ラケットフレーム１１のガット溝１９との間に、図４に示すバンパー４３とグロメット４２とを備えたストリング保護材４１を装着している。
ストリング保護材４１は、ストリングＳを挿通する挿通孔４２ａを貫通させた複数のグロメット４２と、これら複数のグロメット４２の基部を内周側に突設するように連結するバンパー４３とからなる。該ストリング保護材４１は、熱可塑性樹脂や熱硬化性樹脂等の材質から形成することができ、強度と柔軟性を両立しえるという理由で、ナイロン樹脂やウレタン樹脂で形成するのがよく、特にナイロン樹脂がよい。
【００３１】
図２（Ａ）に示すように、前記ストリング保護材４１のグロメット４２のうち、ガット張架部本体１７のガット穴２０に装着されるグロメット４２の長さは、該グロメット４２の先端４２ｂがガット穴２０の内側孔２０ａを超えて突き抜ける長さに設定している。一方、膨出ガット張架部１８のガット穴２１に装着されるグロメット４２の長さは、図２（Ｂ）にも示すように、その先端４２ｂがガット穴２１の内側孔２１ａを突き抜けるが、ガット張架部本体１７の外周面には達さず、ガット張架部本体１７と膨出ガット張架部１８との間の空隙２２内に位置する長さに設定している。
【００３２】
膨出ガット張架部１８のガット穴２１に挿通されるストリングＳおよびグロメット４２は、図２（Ｂ）に示すように、ガット張架部本体１７の中空部３１を貫通し、該中空部３１を囲むフレームに接触しない状態で張設される。
【００３３】
前記構成よりなるラケット１０は、ストリングＳの有効長さが短いヘッド部１２の４時〜５時の範囲Ａおよび７時〜８時の範囲Ｂの外側に膨出ガット張架部１８を設け、該範囲に張架されるストリングＳは、中空部３１を貫通し、中空部３１を囲むガット張架部本体１７に触れないため、ストリングＳの撓みの起点を、ガット張架部本体１７よりも外側に突出した膨出ガット張架部１８のガット穴２１の内側孔２１ａまで移行させることができる。従って、ストリングＳの可動領域を拡大することができ、反発性が向上すると共に、スイートエリアを効果的に拡大することができる。
また、４時〜５時位置および７時〜８時位置であれば、スイング中に膨出ガット張架部１８が地面等に接触しにくく、ラケット破損を防止できる。
【００３４】
さらに、膨出ガット張架部１８は繊維強化樹脂製の中空管状体であるため、優れた強度と軽量性を併有し、軽量性を長所とする繊維強化樹脂製のラケットの重量増加を極力抑制でき、軽量性と良好な操作性を維持することができる。
【００３５】
前記中空部３１のフレーム周方向長さＬ２は２５ｍｍ以上１５０ｍｍ以下の範囲内であるため、反発性向上効果を十分発揮できると共に、フレーム強度の低下も防止できる。
前記中空部３１の厚みＤ１は３ｍｍ以上１２ｍｍ以下の範囲内であるため、ストリングＳやグロメット４２が中空部３１を囲むガット張架部本体１７に接触することを防止できると共に、中空部３１の両端部のフレーム１１に応力が集中し、強度が低下することも防止できる。
さらに、前記膨出ガット張架部１８の最大突出高さＨ１は５ｍｍ以上３０ｍｍ以下の範囲内であるため、地面等との接触を防止できると共に、反発性向上効果を十分に発揮することができる。
【００３６】
図５は本発明の第二実施形態の要部を示す。
本実施形態では、前記中空部３１を、打球面Ｆを時計面とみた場合のヘッド部１２の２時位置を始端とし３時位置を終端とする範囲Ｃと、９時位置を始端とし１０時位置を終端とする範囲Ｄの２箇所に形成している。
また、前記範囲Ｃ、Ｄの外側に前記膨出ガット張架部１８をそれぞれ形成している。
【００３７】
本実施形態においても、中空部３１のフレーム周方向長さＬ２は１００ｍｍとし、厚みＤ１は９ｍｍとしている。また、前記膨出ガット張架部１８には４つのガット穴２１を形成し、該ガット穴２１を挿通するストリングＳは、前記中空部３１を貫通し、中空部３１を囲むガット張架部本体１７のフレームには接触しない構成としている点も、前記第一実施形態と同一である。
本実施形態においては、横ストリング中心付近のストリングの可動領域が拡大することによって、ラケットの反発性を高めることができる。
【００３８】
図６は本発明の第三実施形態の要部を示す。
本実施形態では、前記中空部３１を、打球面Ｆを時計面とみた場合のヘッド部１２の１２時位置（トップ）を中心として、周方向長さ１００ｍｍの範囲Ｅの１箇所に形成している。該範囲Ｅは、より具体的に時計の長針位置で説明すると、５７分位置を始端とし、３分位置を終端とする範囲としている。
該範囲Ｅの外側には、膨出ガット張架部１８を形成している。
【００３９】
本実施形態においても、中空部３１のフレーム周方向長さＬ２は１００ｍｍであり、厚みＤ１は９ｍｍとしている。また、膨出ガット張架部１８には４つのガット穴２１を形成し、該ガット穴２１を挿通するストリングＳは、中空部３１を貫通し、該中空部を囲むガット張架部本体１７のフレームには接触しない構成としている点も、前記第一実施形態と同一である。
本実施形態においては、縦ストリング中心付近のストリングの可動領域が大きくなることによって、ラケットの反発性を高めることができる。
【００４０】
（実施例）
以下の表１に示すとおり、中空部の有無、中空部の形成位置、および膨出ガット張架部の材質を異ならせた実施例１〜３と比較例１、２を作製し、テニスラケットの反発係数と高反発領域を測定し、飛び性能、スイートエリア、操作性に関する実打テストも行った。
なお、本発明は上記実施形態、実施例に限定するものではない。
【００４１】
【表１】
0004509964.tif 000002
【００４２】
実施例１〜３および比較例１、２のいずれのラケットフレーム１１も、繊維強化熱硬化性樹脂で成形した中空形状で、打球面Ｆの面積が７１０ｃｍ２であり、ガット張架部本体１７の周長が９６０ｍｍである同一形状とし、フレーム重量およびフレームバランスは表１に示すとおり設定した。
【００４３】
詳細には、ラケットフレームはカーボン繊維を強化繊維とし、マトリクスをエポキシ樹脂とした繊維強化樹脂のプリプレグシートを、６６ナイロンからなる内圧チューブを被覆したマンドレル上に積層し、鉛直状の積層体を成形した。プリプレグ角度は、０°、２２°、３０°、４５°、９０°とし、積層した。マンドレルを抜き取って上記積層体を金型にセットした。金型を型締して、金型を１５０℃に昇温し、３０分間の加熱を行うと同時に内圧チューブ内に９ｋｇｆ／ｃｍ２の空気圧を付加し、加温保持し、加熱加温成型により作製した。
中空部３１は、前記内圧チューブを２本とすることにより成型した。
【００４４】
実施例１〜３における膨出ガット張架部１８も、カーボン繊維と強化繊維とし、マトリクス樹脂をエポキシ樹脂とする繊維強化樹脂のプリプレグシートを積層して、ヨーク部と同様の成型方法で中空の管状に作製した。即ち、芯材にポリスチレンとポリウレタンの発泡材を充填させ、加熱成型で発泡させて作製した。
【００４５】
実施例１〜３と比較例２の中空部３１はいずれも、フレーム周方向長さを１００ｍｍとし、厚みを９ｍｍとした。また、実施例１〜３の膨出ガット張架部１８の最大突出高さＨ１は、いずれも１５ｍｍとした。
【００４６】
（実施例１）
前記第一実施形態と同一構成とした。即ち、中空部３１を、４時位置から５時位置までの範囲Ａと、７時位置から８時位置までの範囲Ｂの２箇所に設け、該中空部３１の外周側に、４つのガット穴２１を設けた繊維強化樹脂製の膨出ガット張架部１８をそれぞれ配置した。
【００４７】
（実施例２）
前記第二実施形態と同一構成とした。即ち、中空部３１を、２時位置から３時位置までの範囲Ｃと、９時位置から１０時位置までの範囲Ｄの２箇所に設け、該中空部３１の外周側に、４つのガット穴２１を設けた繊維強化樹脂製の膨出ガット張架部１８をそれぞれ配置した。
【００４８】
（実施例３）
前記第三実施形態と同一構成とした。即ち、中空部３１を、１２時位置を中心としてフレーム周方向長さ１００ｍｍの範囲Ｅ、詳しくは、始端を長針の５７分位置とし、終端を長針の３分位置とする範囲Ｅの１箇所に設け、該中空部３１の外周側に、４つのガット穴２１を設けた繊維強化樹脂製の膨出ガット張架部１８を配置した。
【００４９】
（比較例１）
フレームに、フレーム幅方向に貫通する中空部を形成せず、また、膨出ガット張架部も設けなかった。
【００５０】
（比較例２）
実施例１と同様に、第一ガット張架部１７の２時位置から３時位置までの範囲Ｃと、９時位置から１０時位置までの範囲Ｄの２箇所に中空部３２を設けたが、図７に示すように、該中空部３２に膨出ガット張架部５１を、ガット張架部本体１７の外周面から突出しないように装着した。即ち、膨出ガット張架部５１の最大突出高さを０とした。
また、該膨出ガット張架部５１は、カーボン短繊維を強化繊維として３０％含有するナイロン樹脂で成型し、中実構造とした。
【００５１】
（反発係数、高反発領域の測定）
反発係数は、図８に示すように、実施例および比較例のテニスラケットフレーム１１に、ストリングを縦６０ポンド、横５５ポンドの張力で張架し、各テニスラケットを垂直状態でフリーとなるようにグリップ部１５を柔らかく固定し、その打球面にボール打出機から一定速度Ｖ１（３０ｍ／ｓｅｃ）でテニスボールを打球面に衝突させ、跳ね返ったボールの速度Ｖ２を測定した。反発係数は発射速度Ｖ１、反発速度Ｖ２の比（Ｖ２／Ｖ１）であり、反発係数が大きいほどボールの飛びが良いことを示している。
前記反発係数の測定を打球面の２１点で行い、反発係数が０．３８０以上の高反発領域の面積を測定した。
【００５２】
（飛び性能、スイートエリア、操作性評価）
テニス上級者５０名が、実施例および比較例の各ラケットを試打し、フィーリングを５点法（点が多いほど良い評価）で評価した。表１には、採点結果の平均値を示した。
【００５３】
表１から確認できるように、中空部も膨出ガット張架部も設けなかった比較例１と比較すると、実施例１〜実施例３は、反発係数が高く、高反発領域は広く、実打評価においても、特に、飛び、スイートエリアで高評価となった。これは、中空部と膨出ガット張架部によって、ガットの撓みの起点が外側に移行したためと考えられる。
【００５４】
また、操作性については、比較例１と実施例１〜３とは大差なかったが、これは、比較例１については、ラケット重量がやや軽かったことが操作性に好材料となったと考えられ、実施例１〜３については、比較例１よりもラケット重量が重くなったとはいえ僅差であったことと、高反発領域が拡大したことで、総合的に操作性が高評価になったと考えられる。
【００５５】
比較例２は、比較例１よりも、反発性が高く、高反発領域も拡大したが、実施例１には劣り、また操作性については全実施例、比較例のなかで最低評価となった。これは、比較例２は、膨出ガット張架部５１を中空部３２内に装着したため、ストリングＳの撓みの起点を第一ガット張架部１７よりも外周側に移行させることができず、ストリングＳの可動領域の拡大量が少なかったことと、膨出ガット張架部５１が繊維強化樹脂製でなく、中実構造であったため、ラケット重量が大幅に増大したためと考えられる。
【図面の簡単な説明】
【００５６】
【図１】本発明の第一実施形態に係るラケットを示し、（Ａ）は正面図、（Ｂ）はラケットフレームの側面図である。
【図２】図１に示すラケットの要部説明図であり、（Ａ）は拡大平面図、（Ｂ）は（Ａ）の（Ｂ）−（Ｂ）線断面図である。
【図３】図１に示すラケットの中空部形成箇所をフレーム内周側からみた側面図である。
【図４】図１に示すラケットフレームとストリング保護材の斜視図である。
【図５】本発明の第二実施形態に係るラケットフレームの要部を示す正面図である。
【図６】本発明の第三実施形態に係るラケットフレームの要部を示す正面図である。
【図７】比較例２の要部を示す断面図である。
【図８】ラケットの反発係数の測定方法を示す概略図である。
【図９】従来例の図である。
【符号の説明】
【００５７】
１０  テニスラケット
１１  ラケットフレーム
１２  ヘッド部
１６  ヨーク部
１７  ガット張架部本体
１８  膨出ガット張架部
２０、２１  ガット穴
３１  中空部
Ｆ  打球面
【図１】
0004509964.tif 000003
【図２】
0004509964.tif 000004
【図３】
0004509964.tif 000005
【図４】
0004509964.tif 000006
【図５】
0004509964.tif 000007
【図６】
0004509964.tif 000008
【図７】
0004509964.tif 000009
【図８】
0004509964.tif 000010
【図９】
0004509964.tif 000011